(57)【要約】      （修正有）【課題】塩素などの化学成分や液体成分などを使用することなく、紫外線を靴などの着衣物に満遍なく照射して収納中に殺菌できる、殺菌機能を有する収納箱を提供する。【解決手段】殺菌機能を有する収納箱は、外形を構成する本体部２と、本体部の中に備わる複数の棚板３と、本体部の内部に着衣物を出し入れする開口部４と、開口部を開閉する開閉ドア５と、本体部内部に備わり紫外線を照射する紫外線照射部６と、を備え、複数の棚板のそれぞれは、紫外線を透過させる空隙３１を有し、棚板の上に、着衣物が収納される。【選択図】図１
0003231586.tif 000002
【実用新案登録請求の範囲】
【請求項１】
外形を構成する本体部と、
前記本体部の中に備わる複数の棚板と、
前記本体部の内部に着衣物を出し入れする開口部と、
前記開口部を開閉する開閉ドアと、
前記本体部内部に備わり紫外線を照射する紫外線照射部と、を備え、
前記複数の棚板のそれぞれは、前記紫外線を透過させる空隙を有し、
前記棚板の上に、前記着衣物が収納される、殺菌機能を有する収納箱。
【請求項２】
前記空隙は、前記棚板に設けられるスリット、隙間、孔およびメッシュの少なくとも一つを含む、請求項１記載の殺菌機能を有する収納箱。
【請求項３】
前記開閉ドアの内側、前記棚板、前記本体部の内部底面、前記本体部の内部背面の少なくとも一つに、前記紫外線を反射する反射部を更に備える、請求項１または２記載の殺菌機能を有する収納箱。
【請求項４】
前記着衣物は靴であり、前記靴は、前記棚板の上に載置されて収納される、請求項１から３のいずれか記載の殺菌機能を有する収納箱。
【請求項５】
前記紫外線照射部は、前記本体部の内部底面、前記本体部の内部背面および前記本体部の内部上面の少なくとも一つに設けられる、請求項１から４のいずれか記載の殺菌機能を有する収納箱。
【請求項６】
前記紫外線照射部を制御する照射制御部を更に備える、請求項１から５のいずれか記載の殺菌機能を有する収納箱。
【請求項７】
前記照射制御部は、前記開閉ドアが開いている状態では、前記紫外線照射部からの紫外線照射を停止させる、請求項６記載の殺菌機能を有する収納箱。
【請求項８】
前記照射制御部は、前記本体部内部に収納される着衣物の種類、殺菌対象のウイルスや細菌の種類および外部環境の少なくとも一つに基づいて、前記紫外線照射部から照射される紫外線の強度、照射時間、照射間隔および照射角度の少なくとも一つを変化させる、請求項６または７記載の殺菌機能を有する収納箱。
【請求項９】
前記照射制御部は、時間帯によって、前記紫外線照射部からの紫外線強度を変化させる、請求項８記載の殺菌機能を有する収納箱。
【請求項１０】
前記照射制御部は、殺菌対象のウイルスや細菌の耐性が強い場合には、前記紫外線照射部からの紫外線強度を高くする、請求項８記載の殺菌機能を有する収納箱。
【考案の詳細な説明】
【技術分野】
【０００１】
本考案は、靴や衣服などの収納物を収納する収納箱であって、収納の最中に収納物を殺菌できる殺菌機能を有する収納箱に関する
【背景技術】
【０００２】
近年、様々な感染症の流行が問題となっている。ＳＡＲＳやＭＥＲＳといったある地域を基点として流行する感染症や、２０２０年に世界を襲った新型コロナウイルスなどの感染症などがたびたび問題となっている。このような感染症は、グローバル化の進展や世界中の人々や物品が移動する大移動の時代にあっては、地域にとどまることなく、このような感染症が世界中に広まる問題がある。
【０００３】
このような感染症は、あるウイルスや細菌に基づく感染症が収束しても、また別のウイルスや細菌による流行が始まる問題がある。あるいは、同じウイルスが変異して、流行期間を延ばしたり、新たな流行を引き起こしたりすることがある。このような感染症の流行や広がりが生じると、多くの人々の生活様式に影響を与える。
【０００４】
例えば、日常生活の中でのマスク着用、手指消毒などの必要性が生じる。また、これら以外においても、衛生観念を高めることが求められている。
【０００５】
上記は、ヒトに係る感染症であるが、ヒト以外でも、鳥インフルエンザや豚インフルエンザなどの家畜などに流行する感染症の問題もたびたび生じている。家畜におけるウイルスや細菌による感染症が発生すると、畜産業者に大きな打撃になり経済活動や人々の食生活へ影響を与えてしまう。また、家畜における感染症が流行すると、ウイルス変異などによって家畜からヒトへの感染が始まる懸念もある。
【０００６】
このように、グローバル化や物流のサプライチェーン、人口増加や人々の生活レベル向上に伴って、様々な感染症の問題が広まっている。これはヒトでも家畜などの動物でも同じであり、かつヒトと家畜との間でも同様である。
【０００７】
上述のように、マスク着用や手指消毒などの生活様式や衛生対策が行われていても、ウイルスや細菌は、生活や行動の中で様々に付着する。いわゆる体液を介する付着、エアロゾルレベルでの付着、あるいは空気中の浮遊ウイルスや浮遊菌による付着などがあり得る。
【０００８】
これらの付着が生じると、マスク着用や手指消毒だけでは、感染や感染を広げることへの対応が不十分となりえる。これらの付着は、衣服や靴などに起こりえるからである。アルコール消毒などは、衣服や靴などにまで行うことは困難である。
【０００９】
衣服や靴などは、人が着ている最中に、上述のような経路によってウイルスや細菌が付着しうる。他人からの飛沫による体液による付着、エアロゾルによる付着、浮遊ウイルスなどの付着などによる。また、地面や床面にウイルスや細菌が付着していることもある。このため、歩行などを通じて、靴にウイルスや細菌が付着することもある。これは、靴底だけでなく、靴の表面に付着することもある。
【００１０】
さらには、使用者が靴を履いていることで、使用者の足や靴下などからウイルスや細菌が靴の内部に付着することもある。
【００１１】
このように衣服や靴など（着衣物）には、様々な場所や要因で、ウイルスや細菌が付着する。この付着したままの状態を放置することは、感染症の抑制観点から好ましくない。着衣物を使用している本人はもちろん、これを介して他人に感染を及ぼしうるからである。また、着衣物を介して、建物、部屋、家具、その他の物品にウイルスや細菌を付着させる可能性もあるからである。勿論、ヒトに係るウイルスや細菌だけでなく、鳥インフルエンザなどの動物に感染するウイルスや細菌なども同様である。
【００１２】
このように着衣物にウイルスや細菌が付着している可能性がある中で、この状態を放置して着衣物を収納することは好ましくない。例えば、ウイルスや細菌が付着している可能性のある靴を靴箱に収納して、そのまま履くことは好ましくない。使用者における感染可能性が高まるからである。
【００１３】
また、靴や衣服を介して、室内などにウイルスや細菌を広げる懸念もある。
【００１４】
また、病院、宿泊施設、公共施設などで、室内用の履物に履き替えることが求められることがある。この室内用の履物（例えばスリッパなど）は、不特定多数の人に共用される。この共用によって、同じ履物が異なる人によって使用される。履物にウイルスや細菌が付着している場合には、この履物を介して、他人にウイルスや細菌が感染することになりかねない。このような履物を始めとする着衣物は、収納箱に収納されている。
【００１５】
このように、靴や衣服などの着衣物を保管する際に、ウイルスや細菌を減少させる殺菌（厳密にはウイルスは殺菌ではないが、細菌だけでなくウイルスも死滅させることを殺菌として含むものとする）を行うことが求められている。特に、収納箱に収納されている間に着衣物を殺菌することが求められている。
【００１６】
このような環境の中で、収納中に靴を殺菌する技術が提案されている（例えば、特許文献１参照）。
【先行技術文献】
【特許文献】
【００１７】
【特許文献１】実用新案登録３１９５８９０号公報
【考案の概要】
【考案が解決しようとする課題】
【００１８】
特許文献１は、上面に作業靴を挿入可能な開口部２２を設けたケーシング２０と、前記ケーシング２０の内部で波長１８５ｎｍと、照度数十ｍＷ／ｃｍ２以上の波長２５４ｎｍの紫外線を照射可能な紫外線照射手段３０と、前記ケーシング２０の内部で塩素成分を含むミストを噴霧可能な噴霧手段４０と、を備える。ケーシング２０は、開口部２２の下部にグレーチング２４を設けている。グレーチング２４は、所定寸法の孔を複数等間隔に配置して網状に形成されたものであり、作業靴の靴底と接触する。またグレーチング２４は、殺菌消毒を行う作業者の体重を支える所定の強度を備えている。ケーシング２０には、グレーチング２４の下方に紫外線照射手段３０を取り付けている靴用殺菌装置を開示する。
【００１９】
しかしながら、特許文献１は、塩素成分を噴霧することで、靴を殺菌する。このため、靴に塩素成分が付着してしまい、靴の劣化などを生じさせる懸念がある。また、紫外線を照射しているが、靴においては、表面だけではなく靴底や靴の内部にもウイルスや細菌が付着していることがある。これらに対しての殺菌対応が難しい問題がある。
【００２０】
本考案は、塩素などの化学成分や液体成分などを使用することなく、紫外線を靴などの着衣物に満遍なく照射して収納中に殺菌できる、殺菌機能を有する収納箱を提供することを目的とする。
【課題を解決するための手段】
【００２１】
上記課題に鑑み、本考案の殺菌機能を有する収納箱は、外形を構成する本体部と、
前記本体部の中に備わる複数の棚板と、
前記本体部の内部に着衣物を出し入れする開口部と、
前記開口部を開閉する開閉ドアと、
前記本体部内部に備わり紫外線を照射する紫外線照射部と、を備え、
前記複数の棚板のそれぞれは、前記紫外線を透過させる空隙を有し、
前記棚板の上に、前記着衣物が収納される。
【考案の効果】
【００２２】
本考案の殺菌機能を有する収納箱は靴や衣服などを収納している間に、付着しているウイルスや細菌を殺菌することができる。また、紫外線照射による殺菌であるので、化学成分や液体成分（ミスト状態などを含む）を、着衣物に付着させずに済む。
【００２３】
また、棚板には紫外線を透過させる孔などが備わっていることで、靴底などにも紫外線照射ができ、靴底なども殺菌できる。また、ドアや背板などに紫外線の反射板を備えることで、紫外線を着衣物に満遍なく照射することができる。これにより、着衣物の様々な場所に付着しているウイルスや細菌を殺菌することができる。
【００２４】
収納箱に収納されているときに殺菌が行われることで、公共施設などの室内用履物のように不特定多数の人が使用する履物でも、収納中に殺菌されることで、履物などを介した感染を防止することができる。
【図面の簡単な説明】
【００２５】
【図１】本考案の実施の形態における殺菌機能を有する収納箱の斜視図である。
【図２】本考案の実施の形態における殺菌機能を有する収納箱の内部透視状態での斜視図である。
【図３】本考案の実施の形態における開閉ドアの開いた状態の収納箱を示す正面図である。
【図４】本考案の収納箱内部での紫外線照射の流れを示す模式図である。
【図５】本考案の実施の形態における着衣物の載せられた棚板の斜視図である。
【図６】本考案の収納箱の斜視図である。
【考案を実施するための形態】
【００２６】
本考案の第１の考案に係る殺菌機能を有する収納箱は、外形を構成する本体部と、
前記本体部の中に備わる複数の棚板と、
前記本体部の内部に着衣物を出し入れする開口部と、
前記開口部を開閉する開閉ドアと、
前記本体部内部に備わり紫外線を照射する紫外線照射部と、を備え、
前記複数の棚板のそれぞれは、前記紫外線を透過させる空隙を有し、
前記棚板の上に、前記着衣物が収納される。
【００２７】
この構成により、着衣物の様々な面に紫外線が照射される。特に、棚板に置かれている着衣物の底面にも紫外線が照射されて、ウイルス除去や細菌の殺菌が確実に行われる。
【００２８】
本考案の第２の考案に係る殺菌機能を有する収納箱では、第１の考案に加えて、前記空隙は、前記棚板に設けられるスリット、隙間、孔およびメッシュの少なくとも一つを含む。
【００２９】
この構成により、空隙は容易に紫外線の一部を透過させることができる。
【００３０】
本考案の第３の考案に係る殺菌機能を有する収納箱では、第１または第２の考案に加えて、前記開閉ドアの内側、前記棚板、前記本体部の内部底面、前記本体部の内部背面の少なくとも一つに、前記紫外線を反射する反射部を更に備える。
【００３１】
この構成により、収納箱内部に、より適切に紫外線を拡散させることができる。
【００３２】
本考案の第４の考案に係る殺菌機能を有する収納箱では、第１から第３のいずれかの考案に加えて、前記着衣物は靴であり、前記靴は、前記棚板の上に載置されて収納される。
【００３３】
この構成により、多くの着衣物を収納可能であると共に、空隙による透過や棚板による反射で、紫外線をすべての着衣物に照射することができる。
【００３４】
本考案の第５の考案に係る殺菌機能を有する収納箱では、第１から第４のいずれかの考案に加えて、前記紫外線照射部は、前記本体部の内部底面、前記本体部の内部背面および前記本体部の内部上面の少なくとも一つに設けられる。
【００３５】
この構成により、収納箱内部において、紫外線の拡散をより確実にできる。
【００３６】
本考案の第６の考案に係る殺菌機能を有する収納箱では、第１から第５のいずれかの考案に加えて、前記紫外線照射部を制御する照射制御部を更に備える。
【００３７】
この構成により、紫外線照射のコントロールを実現して、適切な殺菌などを行なえる。
【００３８】
本考案の第７の考案に係る殺菌機能を有する収納箱では、第６の考案に加えて、前記照射制御部は、前記開閉ドアが開いている状態では、前記紫外線照射部からの紫外線照射を停止させる。
【００３９】
この構成により、使用者の安全を確保できる。
【００４０】
本考案の第８の考案に係る殺菌機能を有する収納箱では、第６または第７の考案に加えて、前記照射制御部は、前記本体部内部に収納される着衣物の種類、殺菌対象のウイルスや細菌の種類および外部環境の少なくとも一つに基づいて、前記紫外線照射部から照射される紫外線の強度、照射時間、照射間隔および照射角度の少なくとも一つを変化させる。
【００４１】
この構成により、状況に応じた最適な殺菌などを行なえる。
【００４２】
本考案の第９の考案に係る殺菌機能を有する収納箱では、第８の考案に加えて、前記照射制御部は、時間帯によって、前記紫外線照射部からの紫外線強度を変化させる。
【００４３】
この構成により、安全性とのバランスをとって殺菌などの実効性を高めることができる。
【００４４】
本考案の第１０の考案に係る殺菌機能を有する収納箱では、第８の考案に加えて、前記照射制御部は、殺菌対象のウイルスや細菌の耐性が強い場合には、前記紫外線照射部からの紫外線強度を高くする。
【００４５】
この構成により、より確実な殺菌などが実現できる。
【００４６】
以下、図面を参照しながら、本考案の実施の形態を説明する。
【００４７】
（実施の形態）
【００４８】
（全体概要）
図１は、本考案の実施の形態における殺菌機能を有する収納箱の斜視図である。図２は、本考案の実施の形態における殺菌機能を有する収納箱の内部透視状態での斜視図である。図２は、図１の収納箱の内部透視状態とした図面である。
【００４９】
殺菌機能を有する収納箱（以下、必要に応じて「収納箱」と略す）１は、本体部２、複数の棚板３、開口部４、開閉ドア５、紫外線照射部６を備える。また、複数の棚板３のそれぞれは、空隙３１を有する。
【００５０】
本体部２は、収納箱１の外形を構成する。図１、図２のように、収納箱１が箱形状であれば、本体部２は、この箱形状を有している。この箱形状によって、収納箱１は、箱形状を有するようになる。本体部２は、収納箱１の全体形態を構成する。勿論、本体部２が筒型やその他の形態であれば、収納箱１の全体形態も筒型やその他の形態になる。
【００５１】
本体部２は、金属、合金、木材、樹脂、その他の素材で形成されればよい。収納箱１の使用目的、設置場所、収納対象物などによって、素材が選択されればよい。収納箱１は、着衣物１００を収納する。
【００５２】
本体部２の中には、複数の棚板３が備わる。複数の棚板３の上に、収納対象物である着衣物１００が収納される。図１、図２では、着衣物１００の例としてスリッパが示されている。複数の棚板３の上に、着衣物１００が置かれることで収納される。
【００５３】
開口部４は、本体部２の内部に着衣物１００を出し入れするために備わる。図１、図２では、本体部２の正面に開口部４が備わる。この開口部４から、使用者が着衣物１００を収納箱１の中に入れたり、収納箱１から取り出したりする。この出し入れの際に、使用者は、着衣物１００を棚板３の上に載せたり棚板３から取り出したりする。
【００５４】
開閉ドア５は、開口部４を開閉する。図１、図２などでは、開閉部４が本体部２の正面にあり、この開閉部４に開閉ドア５が備わっている。この開閉ドア５を開けると、開口部４が開口した状態となる。開口した状態となれば、着衣物１００を出し入れできる。出し入れなどの作業が不要のときには、開閉ドア５を閉じていればよい。
【００５５】
紫外線照射部６は、本体部２内部に備わり、紫外線を照射する。この紫外線が、着衣物１００に付着したウイルスや細菌を殺菌する（殺菌との用語を使っているが、ウイルス除去を含む意味である）。一例として、本体部２の内部であって背面に紫外線照射部６が備わる。紫外線照射部６は、本体部２の内部空間に紫外線を広げるように照射する。また、背面以外の場所に、紫外線照射部６が取り付けられてもよい。例えば、底面あるいは上面に取り付けられて、下方から紫外線を照射したり、上方から紫外線を照射したりしてもよい。
【００５６】
また、内部空間の底面、背面、上面の少なくとも２か所以上に、紫外線照射部６が備わってもよい。あるいは、背面において、複数の紫外線照射部６が備わることでもよい。複数の場所に紫外線照射部６が備わることで、本体部２の内部空間に対して、満遍なく紫外線を照射できるようになる。
【００５７】
複数の棚板３のそれぞれは、紫外線を透過させる空隙３１を有する。図１、図２などには、この空隙３１が示されている。空隙３１があることで、棚板３に照射された紫外線は、そのすべてが棚板３により反射させられるのではなく、一部が透過する。着衣物１００が置かれている場合には、着衣物１００の底の部分であっても、棚板３の下方からくる紫外線が、この空隙３１を透過して、着衣物１００の底にあたる。
【００５８】
このようにして、着衣物１００の底面に対しても、収納中に紫外線が照射される。
【００５９】
また、棚板３に空隙３１が備わることで、着衣物１００が置かれていない場所においても、棚板３にあたる紫外線の一部が透過できる。複数の棚板３のそれぞれで、この現象が発生する。この現象の結果、本体部２の内部空間には、満遍なく紫外線が照射される。
【００６０】
収納箱１には、複数の着衣物１００が収納される。複数の着衣物１００は、複数の棚板３の様々な場所に置かれる。このような状況では、収納箱１の様々な場所に満遍なく紫外線を照射することが求められる。着衣物１００の確実な殺菌やウイルス除去のためである。
【００６１】
棚板３に空隙３１が備わることで、紫外線照射部６からの紫外線が、棚板３に邪魔されることなく満遍なく内部空間に広がる。また、棚板３において、空隙３１以外において紫外線は反射する。反射した紫外線は、更に、内部空間に満遍なく広がる。
【００６２】
すなわち、本体部２の内部空間において、透過した紫外線と反射した紫外線とが相まって生じる。この結果、内部空間でより広い範囲に紫外線の照射や到達が実現できる。これにより、収納箱１に収納されている着衣物１００の表面、底面、内面などに、紫外線が満遍なく照射される。
【００６３】
結果として、着衣物１００に付着している細菌やウイルスは、確実に殺菌・除去される。例えば、着衣物１００が図１のようにスリッパであると、その表面、足の乗る面、底面など、更に足の入る部分なども含めて紫外線が照射されやすくなる。このようなスリッパでも、収納箱１の中で、確実に殺菌できる。
【００６４】
病院、介護施設、公共施設などでは、不特定多数の人間が使用する施設では、外履きをスリッパなどの上履きに履き替えて入室することが多い。このときに、不特定多数に使用されるスリッパなどは、収納箱１で殺菌されていることが好ましい。一方で、多くのスリッパなどを収納できることも必要である。複数の棚板３に載せて、多くのスリッパなどを収納できることが必要である。
【００６５】
本考案の収納箱１は、多くのスリッパなどを収納できると共に、これらを収納している間に、満遍なく紫外線を当てることで細菌やウイルスを殺菌・除去することができる。特に、満遍なく照射することで、確実に殺菌などをできる。
【００６６】
なお、着衣物１００は、靴、スリッパ、下足、上靴など、種々の履物のいずれかであってもよいし、衣服などであってもよい。靴やスリッパなどであれば、棚板３の上に載せられる。
【００６７】
（開いた状態）
【００６８】
図３は、本考案の実施の形態における開閉ドアの開いた状態の収納箱を示す正面図である。開閉ドア５が開いて、内部空間が露出した状態を示している。複数の棚板３があり、これの上に着衣物１００が乗っている。
【００６９】
また、紫外線照射部６は、内部空間の背面と側面（開閉ドア５の内側）に紫外線照射部６を備えている。このように、様々な場所に紫外線照射部６が備わることも好適である。
【００７０】
開閉ドア５が開くことで、着衣物１００を出し入れできる。入れられて収納されている着衣物１００は、その間に殺菌などがなされる。
【００７１】
（紫外線照射部）
【００７２】
紫外線照射部６は、本体部２の内部空間の底面、内部空間の背面、内部空間の上面の少なくとも一つに設けられれば良い。図３のように開閉ドアの根元に設けられてもよい。また、複数の場所に複数の紫外線照射部６が設けられてもよい。また、複数の紫外線照射部６が設けられてもよい。
【００７３】
また、図３に示されるように、紫外線照射部６を制御する照射制御部８を更に備えることも好適である。照射制御部８は、開閉ドア５が開いている状態では、紫外線照射部６からの紫外線の照射を停止させる。このとき、図３のように、開閉検出部７が備わることも好適である。開閉ドア５と電気的に導電する部材であって、開閉ドア５が閉じていると通電して開閉ドア５が締まっている状態として検出できる。通電していないときは、開閉ドア５が開いている状態として検出できる。
【００７４】
この開いている状態を検出できると、照射制御部８は、紫外線照射部６からの紫外線の照射を停止させる。これにより、使用者が開閉ドア５を開けたときに、紫外線を浴びる心配がなくなり、安全面も確保される。
【００７５】
また、開閉検出部７で開閉ドア５が閉じていることが検出されると、照射制御部８は、紫外線照射部６から紫外線照射を再開する。すなわち、開閉ドア５が閉じている間は、紫外線照射部６は紫外線を照射し、開閉ドア５が開いている間は、紫外線照射部６は、紫外線照射を停止する。
【００７６】
必要で安全性の確保された状態での殺菌・ウイルス除去が実現される。
【００７７】
また、照射制御部８は、本体部２内部に収納される着衣物１００の種類、殺菌対象のウイルスや細菌の種類および外部環境の少なくとも一つに基づいて、紫外線照射部６からの紫外線の強度、照射時間、照射間隔および照射角度の少なくとも一つを変化させる。これらを変化させることで、より効率的な紫外線照射ができる。
【００７８】
例えば、着衣物１００が大きなものであったり複雑な形状をしていたりする場合には、紫外線の照射時間が長いことや照射強度が高いことが好ましい。より十分かつ強く殺菌などをすべきだからである。このような場合には、照射制御部８は、紫外線照射部６からの紫外線強度を高くしたり、照射時間を長くしたりとの制御を行う。
【００７９】
あるいは、殺菌対象のウイルスや細菌によって最適な照射強度や照射必要時間がある場合がある。この場合には、照射制御部８は、照射する紫外線の照射強度や照射時間を最適なレベルに制御する。これにより、確実な殺菌などを行なえるからである。
【００８０】
あるいは、着衣物１００の種類によっては、照射角度をある角度にすることが好ましい場合もある。あるいは、ウイルスや細菌の種類によって浮遊しやすいものものある。このような場合でも、紫外線の照射角度を適切に制御することが求められる。照射制御部８は、紫外線照射部６の向きを変更させるなどして、照射角度を制御することも好適である。
【００８１】
また、紫外線照射による殺菌などと、着衣物１００へのストレスとのバランスなどを考慮して、照射を断続的に行うこともありえる。この場合の照射間隔を変化させることも適当である。
【００８２】
また、照射制御部８は、時間帯によって紫外線照射部６からの紫外線強度を変化させることも好適である。例えば、夜間などは、開閉ドア５が開けられることは少ない。このような時間帯は、紫外線強度を上げても使用者への影響は少ない。よって、夜間においては、照射制御部８は、紫外線強度を上げさせることも好適である。勿論、逆に弱くすることでもよい。
【００８３】
あるいは、照射制御部８は、殺菌対象のウイルスや細菌の耐性が強い場合には、紫外線照射部６からの紫外線強度を高くすることも好適である。確実な殺菌などを行なえるようにするためである。
【００８４】
照射制御部８は、このような環境や状況に対応して、紫外線照射部６による紫外線照射を適切に制御できる。上述したように、紫外線照射に係る時間をタイマー的に制御することも含む。
【００８５】
（紫外線照射の流れ）
【００８６】
図４は、本考案の収納箱内部での紫外線照射の流れを示す模式図である。図４は、収納箱１を側面から見た状態で、紫外線照射部６から照射された紫外線が、棚板３や底面などで反射して内部空間に広がる様子を示している。また、紫外線は、棚板３の空隙３１を介して透過する。このような反射や透過の組み合わせによって、内部空間の中を紫外線が縦横無尽に広がっていく。
【００８７】
結果として、収納箱１の内部空間において、満遍なく紫外線が照射される。これは、収納されている着衣物１００の様々な部分に、満遍なく紫外線が照射されることである。
【００８８】
（棚板と空隙）
【００８９】
図５は、本考案の実施の形態における着衣物の載せられた棚板の斜視図である。棚板３は、スリッパのような着衣物１００を載せている。このようにして、収納箱１は、多数の着衣物１００を収納できる。
【００９０】
棚板３は、空隙３１を備える。ここで、空隙は棚板３に設けられるスリット、隙間、孔およびメッシュの少なくとも一つの形態を含む。スリットやメッシュなどが棚板３に備わることで、空隙３１が棚板３に形成される。空隙３１が形成されることで、図４などで説明したように、棚板３にあたる紫外線が、この空隙３１を透過して、収納箱１内部を拡散する。この拡散によって、紫外線は、満遍なく着衣物１００にあたるようになる。
【００９１】
また、着衣物１００の底面にも、空隙３１を透過した紫外線が当たり、底面も殺菌などされる。
【００９２】
このようにスリットや隙間などによって、棚板３には容易かつ広く空隙３１が形成される。また、空隙３１以外の部分では、棚板３は、紫外線を反射する。この反射と空隙３１での透過とが相まって、収納箱１内部に満遍なく紫外線が到達することになる。これにより、複数の着衣物１００の様々な個所が、適切に殺菌などされる。
【００９３】
（反射部）
【００９４】
図６は、本考案の収納箱の斜視図である。図６では、開閉ドア５の裏に反射部９が備わる状態が示されている。開閉ドア５の内側、棚板３、本体部２の内部底面および本体部２の内部背面の少なくとも一つに、紫外線を反射する反射部９を備えることも好適である。
【００９５】
反射部９が備わることで、紫外線照射部６から照射される紫外線を反射する。あるいは、紫外線照射部６から照射された後で、反射や透過した紫外線を反射する。別の反射部９が反射した紫外線を反射することもある。
【００９６】
このような反射部９が備わることで、収納箱２内部での紫外線の拡散がさらに効率的になる。結果として、満遍なく紫外線が広がって、着衣物１００に照射される。特に、光源である紫外線照射部６の数が少ない場合でも、収納箱２内部での紫外線の拡散を実現できる。
【００９７】
このようにして、収納箱２に収納されている着衣物１００は、確実に殺菌などされる。
【００９８】
また、開閉ドア５にガラスや樹脂部分が備わる場合には、このようなガラスや樹脂は紫外線を透過しない素材が使用される。また、強化ガラスや強化プラスチックが使用されて、安全性や強度が確保される。
【００９９】
なお、本考案で「着衣物」とあるが、これは、人が身に着ける衣服、靴、スリッパ、上履き、メガネ、イヤホン、その他の身に着ける物品に加えて、電子機器、電子端末、携帯端末、腕時計、精密機器端末などを含む。
【０１００】
なお、実施の形態で説明された殺菌機能を有する収納箱は、本考案の趣旨を説明する一例であり、本考案の趣旨を逸脱しない範囲での変形や改造を含む。
【符号の説明】
【０１０１】
１    殺菌機能を有する収納箱
２    本体部
３    棚板
３１    空隙
４    開口部
５    開閉ドア
６    紫外線照射部
９    反射部
１００    着衣物
【図１】
0003231586.tif 000003
【図２】
0003231586.tif 000004
【図３】
0003231586.tif 000005
【図４】
0003231586.tif 000006
【図５】
0003231586.tif 000007
【図６】
0003231586.tif 000008